(57)【要約】【課題】使用者の睡眠を妨げることなく、より快適な涼しさを与えることができる身体冷却用のマットを提供する。【解決手段】空気流路５を形成するシート状のスペーサ２と、スペーサ２を覆うカバー３と、カバー３の外部の空気を空気流路５に流すファン装置４とを含み、カバー３の上面３Ａに位置する使用者から熱を奪う身体冷却用のマット１であって、カバー３の上面３Ａは、空気流路５と外部とを連通する通気部１２と、空気流路５と外部との間で空気の流れを遮断する非通気部１３とを含み、非通気部１３とスペーサ２との間に、使用者の熱を吸収し、かつ、空気流路５を流れる空気に熱を放出する冷感材２０を具える。【選択図】図１
0003183095.tif 000002
【実用新案登録請求の範囲】
【請求項１】
空気流路を形成するシート状のスペーサと、このスペーサを覆うカバーと、前記カバーの外部の空気を前記空気流路に流すファン装置とを含み、前記カバーの上面に位置する使用者から熱を奪う身体冷却用のマットであって、
前記カバーの上面は、前記空気流路と前記外部とを連通する通気部と、前記空気流路と前記外部との間で空気の流れを遮断する非通気部とを含み、
前記非通気部と前記スペーサとの間に、前記使用者の熱を吸収し、かつ、前記空気流路を流れる空気に熱を放出する冷感材を具えることを特徴とするマット。
【請求項２】
前記冷感材は、粘性を有する液状の吸熱剤と、前記吸熱剤を保持する少なくとも１つの中空部を有するシート状の保持部と、前記保持部とともに前記吸熱材が封入される袋状体とを含む請求項１記載のマット。
【請求項３】
前記ファン装置は、前記外部の空気を前記空気流路へと吸い込んで前記通気部から排気させ、
前記ファン装置と前記通気部との間に、前記空気に香を付与する香付与手段を具える請求項１又は２記載のマット。
【請求項４】
前記香付与手段は、前記空気流路に導入される空気の少なくとも一部が通過する収納空間と、前記収納空間に配された香成分を含む芳香体とを含む請求項３記載のマット。
【考案の詳細な説明】
【技術分野】
【０００１】
本考案は、カバーの上面に位置する使用者から熱を奪う身体冷却用のマットに関する。
【背景技術】
【０００２】
従来、空気流路を形成するスペーサと、該スペーサを覆うカバーと、前記空気流路に空気を流すファン装置とを含むマットが提案されている（例えば下記特許文献１参照）。このようなマットでは、空気流路に空気を通過させることにより、カバー上面に載る使用者の体表付近の温度勾配を大きくし、使用者に涼しさを感じさせることができる。
【先行技術文献】
【特許文献】
【０００３】
【特許文献１】実用新案登録３１７１６２９号公報
【考案の概要】
【考案が解決しようとする課題】
【０００４】
近年、例えば、夏の寝苦しい夜等には、より快適な涼しさによる睡眠が求められている。従来のマットでは、使用者に与える涼しさを増すために、例えば、空気流路を流れる空気の流量を増して、使用者から熱を急速に奪うことにより、使用者の体表付近の温度勾配をより大きくすることが考えられる。しかしながら、このようなマットでは、空気流路を流れる空気の流量を増す場合、ファン装置が高稼動され、ファン装置が発する音が大きくなり、使用者の睡眠の妨げになる。
【０００５】
本考案は、上記問題点に鑑み案出なされたもので、使用者の睡眠を妨げることなく、より快適な涼しさを与えることができる身体冷却用のマットを提供することを目的としている。
【課題を解決するための手段】
【０００６】
本考案の請求項１記載の考案は、空気流路を形成するシート状のスペーサと、このスペーサを覆うカバーと、前記カバーの外部の空気を前記空気流路に流すファン装置とを含み、前記カバーの上面に位置する使用者から熱を奪う身体冷却用のマットであって、前記カバーの上面は、前記空気流路と前記外部とを連通する通気部と、前記空気流路と前記外部との間で空気の流れを遮断する非通気部とを含み、前記非通気部と前記スペーサとの間に、前記使用者の熱を吸収し、かつ、前記空気流路を流れる空気に熱を放出する冷感材を具えることを特徴とする。
【０００７】
また請求項２記載の考案は、前記冷感材は、粘性を有する液状の吸熱剤と、前記吸熱剤を保持する少なくとも１つの中空部を有するシート状の保持部と、前記保持部とともに前記吸熱材が封入される袋状体とを含む請求項１記載のマットである。
【０００８】
また請求項３記載の考案は、前記ファン装置は、前記外部の空気を前記空気流路へと吸い込んで前記通気部から排気させ、前記ファン装置と前記通気部との間に、前記空気に香を付与する香付与手段を具える請求項１又は２記載のマットである。
【０００９】
また請求項４記載の考案は、前記香付与手段は、前記空気流路に導入される空気の少なくとも一部が通過する収納空間と、前記収納空間に配された香成分を含む芳香体とを含む請求項３記載のマットである。
【考案の効果】
【００１０】
本考案のマットは、カバーの上面が、空気流路と外部とを連通する通気部と、空気流路と外部との間で空気の流れを遮断する非通気部とを含み、前記非通気部とスペーサとの間に、使用者の熱を吸収し、かつ、前記空気流路を流れる空気に熱を放出する冷感材を具える。このため、空気流路を流れる空気と前記冷感材とにより、カバーの上面に位置する使用者から、大量の熱をより急速に奪うことができる。従って、本考案のマットでは、使用者の体表付近の温度勾配をより大きくすることができ、例えば、夏の寝苦しい夜等であっても、使用者の睡眠を妨げることなく、より快適な涼しさを与えることができる。
【図面の簡単な説明】
【００１１】
【図１】本考案の一実施形態であるマットの斜視図である。
【図２】図１のＡ−Ａ断面図である。
【図３】マットの冷感材の斜視図である。
【図４】ファン装置及び空気流路の斜視図である。
【図５】図４のファン装置のＢ−Ｂ断面図である。
【考案を実施するための形態】
【００１２】
以下、本考案の実施の一形態が図面に基づき説明される。
図１に示されるように、本実施形態のマット１は、空気流路５を形成するシート状のスペーサ２と、このスペーサ２を覆うカバー３と、該カバー３の外部の空気を空気流路５に流すファン装置４とを含んでいる。
【００１３】
このようなマット１は、身体冷却用であり、ファン装置４が駆動されると、例えば、カバー３の外部の空気が空気流路５に導入され、空気流路５に流れが生じる。これにより、マット１は、カバー３の上面３Ａに位置する使用者から熱を奪い、この熱を前記空気とともにカバー３の外部に放出させる。
【００１４】
本実施形態のマット１は、例えば、床、ベッド又はソファ等に設置して用いられる。このため、マット長さ方向の長さＬ１及びマット幅方向の長さＬ２は、例えば、その用途に応じて予め設定されるのが望ましい。本実施形態のマット１は、前記長さＬ１及びＬ２が、例えば、８００〜１１００mm程度の平面視略矩形状に形成されている。このようなマット１は、例えば、ベッドや布団等の大きさに関わらず設置でき、利便性に優れる。但し、マット１は、前記長さＬ１が、例えば、２０００mm程度、前記長さＬ２が、例えば、１０００mm程度とした寝具用とされても良い。
【００１５】
図２には、図１のＡ−Ａ断面図が示されている。図１又は図２に示されるように、本実施形態のスペーサ２は、平面視略矩形状かつ小さな厚さのシート状に形成されている。このような、スペーサ２の最大厚さＷ１は、例えば、５〜１５mm程度であり、マット１の全面に配されるのが望ましい。
【００１６】
本実施形態のスペーサ２は、平面方向に間隔をあけて配置された複数の凸部７と、隣り合う凸部７、７間を連結する連結部８とを含んでいる。凸部７は、マット厚さ方向にのびる枠体に形成されている。このため、カバー３の内部には、平面方向に連続する複数の凸部７により、厚さ方向の空間である空気流路５が形成されている。
【００１７】
スペーサ２は、使用者がカバー３の上面３Ａに位置する荷重負荷時において、その厚さ方向の撓みを抑制するため、耐圧縮性を有する樹脂材料から形成されるのが望ましい。これにより、スペーサ２は、荷重負荷時において、空気流路５を維持することができる。耐圧縮性を有する樹脂材料には、例えば、ポリエチレン、ポリプロピレン、又はポリアセタール等が採用される。
【００１８】
カバー３は、スペーサ２の上面側を覆う上面３Ａと、スペーサ２の下面側を覆う下面３Ｂとを含んでいる。該カバー３は、平面方向の外端部に、上面３Ａと下面３Ｂとを接続するファスナー９を含んでいるのが望ましい。このようなカバー３は、上面３Ａと下面３Ｂとを容易に離間させることができる。このため、本実施形態のマット１では、カバー３の内部からスペーサ２等の取り出しが容易となり、各部のメンテナンス性に優れる。但し、カバー３は、一部の前記外端部において、ファスナー９を含み、他の前記外端部において、上面３Ａと下面３Ｂとが、例えば、縫合されても良い。
【００１９】
カバー３の上面３Ａは、スペーサ２の上面側を覆う網目状シート１０と、該網目状シート１０の外側に配された表面生地１１とを含んでいる。本実施形態の網目状シート１０は、互いに接しない複数の縦糸と、互いに接しない複数の横糸とを含み、これら縦糸と横糸とが交差する交差部において、前記縦糸と横糸とが接する網目状に形成されている。
【００２０】
表面生地１１は、互いに間隔を設けて配された複数の織物から形成されている。本実施形態の表面生地１１は、マット１の長さ方向にのびる３つの織物から形成され、各織物の間に、マット１の幅方向の間隔が設けられている。このため、表面生地１１の間からは、網目状シート１０が外部に露出されている。また、本実施形態の表面生地１１は、例えば、ＴＴＣ（ポリエステル及び綿の平織）やナイロンタフタ等に、樹脂コーティングが施されている。このため、表面生地１１は、通気性を有していない。
【００２１】
また、カバー３の上面３Ａには、空気流路５と外部とを連通する通気部１２と、空気流路５と外部との間で空気の流れを遮断する非通気部１３とが形成されている。
【００２２】
本実施形態の通気部１２は、表面生地１１の織物の間から露出する網目状シート１０により形成されている。通気部１２は、網目状シート１０が優れた通気性を有するため、空気を通過させことができる。
【００２３】
本実施形態の非通気部１３は、表面生地１１により形成されている。非通気部１３は、表面生地１１が通気性を有していないため、空気を遮断することができる。
【００２４】
カバー３の下面３Ｂは、例えば、不織布１５、ウレタンフォーム１６及び裏面生地１７を含んでいる。裏面生地１５は、例えば、ＴＴＣ（ポリエステル及び綿の平織）や、ナイロンタフタ等から構成される。このようなカバー３の下面３Ｂは、クッション性に優れ、使用者の荷重負荷時において、スペーサ２よりも厚さ方向に撓んで使用者を支持することができる。
【００２５】
本考案のマット１は、非通気部１３とスペーサ２との間に、冷感材２０を具えている。冷感材２０は、カバー３の上面３Ａに位置する使用者の熱を吸収し、この熱を空気流路５を流れる空気に放出することができる。
【００２６】
このようなマット１は、空気流路５を流れる空気と冷感材２０とにより、カバー３の上面３Ａに位置する使用者から、大量の熱をより急速に奪うことができる。従って、マット１は、使用者の体表付近の温度勾配をより大きくすることができ、例えば、夏の寝苦しい夜等であっても、使用者の睡眠を妨げることなく、より快適な涼しさを与えることができる。
【００２７】
本実施形態の冷感材２０は、シート１０と表面生地１１との間に配されている。より具体的には、例えば、表面生地１１の裏面にポケット３５（図１に示す）等の収納部が形成され、冷感材２０が前記収納部に収納されているのが望ましい。このような冷感材２０は、カバー３に対し容易に着脱でき、マット１のメンテナンス性の低下が抑制される。また、本実施形態のマット１は、冷感材２０が交換可能であるのはもちろん、マット１の使用時の室温に応じ、冷感材２０を取り外して使用することもできる。
【００２８】
図３には、冷感材２０の一部が切り欠かれた斜視図が示されている。図３に示されるように、本実施形態の冷感材２０は、粘性を有するゲル状の吸熱剤２１と、吸熱剤２１を保持する保持部２２と、保持部２２とともに吸熱剤２１が封入される袋状体２３とを含んでいる。
【００２９】
本実施形態の吸熱剤２１は、例えば、パラフィン系炭化水素化合物を含んでいる。該パラフィン系炭化水素化合物は、固体の状態で高い粘性を有し、固体から液体へと変化するとき、融解熱として周囲から大きな熱量を吸収する。また、パラフィン系炭化水素化合物は、耐腐食性及び耐劣化性に優れた有機物であり、蓄熱及び放熱の繰り返しによる変性が小さく、結晶が生成され難い。このような吸熱剤２１は、使用者から大量の熱を吸収することができ、本実施形態のマット１の作用・効果をより一層向上させることができる。
【００３０】
吸熱剤２１には、例えば、吸熱剤２１による熱の吸収量及び吸熱剤２１の触感を損なわない範囲において、酸化防止剤等の通常用いられる添加剤や、過冷却防止剤、顔料や染料などの着色剤又は芳香剤等が添加されてもよい。
【００３１】
保持部２２は、少なくとも１つの中空部２２ａを有するシート状に形成されている。本実施形態の保持部２２は、ハニカム構造により形成される複数の中空部２２ａを有するシート状に形成されている。このような保持部２２は、それぞれの中空部２２ａに粘性を有する吸熱剤２１を保持し、袋状体２３内における吸熱剤２１の偏りを抑制することができる。また、保持部２２は、冷感剤２０の触感を損なわないために、例えば、弾性を有する柔らかな樹脂材料から形成されるのが望ましい。
【００３２】
本実施形態の袋状体２３は、例えば、樹脂から形成されるのが望ましい。このような袋状体２３は、吸熱剤２１の吸熱及び放熱を妨げることなく、吸熱剤２１の漏れを防止しうる。なお、袋状体２３は、例えば、前記樹脂の外側を覆う金属の層を含む積層シートであってもよい。このような積層シートは、外側の金属の層により、前記樹脂を外からの衝撃から保護することができる。さらに、金属の層は、高い熱伝導率を有し、吸熱剤２１が使用者から熱を吸収するのに役立つ。
【００３３】
図４には、マット１から取り外されたファン装置４及び該ファン装置４が取り付けられる空気流路５の斜視図が示されている。図２又は図４に示されるように、本実施形態のファン装置４は、例えば、外部の空気を空気流路５内へと吸い込み、空気流路５内の空気を通気部１２を介して外部に排気させる。本実施形態のファン装置４は、外部から吸い込んだ空気を、カバー３の一部を切り取って形成された吸気口２４を介して、空気流路５へと導入させる。これにより、空気流路５に導入された空気は、図２に矢印で示されるように、通気部１２から順次排気される。
【００３４】
図５には、図４のＢ−Ｂ断面図が略示されている。図４又は図５に示されるように、本実施形態のファン装置４は、例えば、マット１の長さ方向に沿って長い長尺矩形状のケース２５と、該ケース２５の内部に配されたファン２６とを含んでいる。ケース２５は、その内部にファン２６が設置される設置空間２７を有している。ファン２６は、例えば、公知のＤＣ軸流ファンである。ファン２６の最大風量については、特に限定されないが、例えば、１００〜２００リットル／分であるのが望ましい。
【００３５】
ケース２５は、マット１に取り付けられる側に開口する開口部２５ａを含んでいる。開口部２５ａは、吸気口２４に沿って形成されている。開口部２５ａは、例えば、吸気口２４とともに、カバー３の上面３Ａ及び下面３Ｂの一部を覆う嵌合部２５ｂを有している。本実施形態のケース２５は、開口部２５ａが吸気口２４及びカバー３の一部を覆った状態で、例えば、ネジや面ファスナー等の固着具２５ｃにより、マット１に固着される。これにより、ファン装置４がマット１に着脱可能とされ、かつ、ファン装置４と空気流路５との気密性が向上される。
【００３６】
ファン装置４は、ケース２５の内外を連通するスリット状の吸気部２８と、ケース２５の外表面に設けられたコントローラ２９と、コンセントプラグが設けられた電源コード（図示省略）とを含んでいる。なお、コントローラ２９は、例えば、電源ボタン、タイマーボタン及び送風切替ボタン等を含んで構成される。
【００３７】
図２又は図５に示されるように、マット１は、ファン装置４と通気部１２との間に、通気部１２から排気される空気に香を付与する香付与手段３０を具えている。このため、本実施形態のマット１は、使用者に香を嗅がせることができる。
【００３８】
香は、例えば、オリス系香料、サンダルウッド系香料、ローズ系香料又は玉葱エキスなどを含む誘眠香料等、ハーブなどの植物から摘出した精油（エッセンシャルオイル）等の香付与剤によって与えられる。このような香は、心や体の不快な状態を改善してリラックスできる所謂アロマテラピー効果が認められる。
【００３９】
マット１は、空気流路５を流れる空気と冷感材２０とにより、より快適な涼しさを与えることができることに加え、アロマテラピー効果を有する香を使用者に嗅がせることができ、例えば、夏の寝苦しい夜等であっても、より快適な睡眠を提供することができる。
【００４０】
図５に示されるように、前記香付与手段３０は、空気流路５に導入される空気の少なくとも一部が通過する収納空間３１と、収納空間３１に配された芳香体３２とを含んでいる。
【００４１】
本実施形態の収納空間３１は、ファン装置４のケース２５の内部に形成され、ケース２５の内部で設置空間２７と連通している。また、収納空間３１は、ケース２５の裏面に着脱自在な開閉部３４を有している。開閉部３４は、例えば、板ばねを用いた嵌め合わせの構成を有し、収納空間３１に対する芳香体３２の着脱を容易にしている。
【００４２】
芳香体３２には、例えば、厚紙、織物、軟質フォーム及びポリエステル綿等、香成分を含有することができるもの、又は、固形化された前記香付与剤等が用いられる。本実施形態の芳香体３２には、ポリエステル綿が用いられている。該ポリエステル綿には、香成分を含む液体を数滴含ませている。このような芳香体３２は、香成分を異なる種類のものに取り替えることが容易である。
【００４３】
芳香体３２には、例えば、軟質ポリウレタンフォームが用いられても良い。該軟質ポリウレタンフォームは、重合反応により形成され、ポリオール、有機イソシアネートを含むフォーム原料が、発泡剤、整泡剤、触媒と一緒に型内で混合されて形成される。この場合、軟質フォームの原料に、香成分を含有させてもよく、予め、異なる種類の香成分を含む軟質フォームを複数用意することにより、同様の効果を有する。
【００４４】
ファン装置４において、ファン２６は、ケース２５の設置空間２７内に、傾けて配されている。このようなファン２６は、風量を損なうことなくファン装置４の高さを低くすることができる。また、ファン２６が傾けて配されることにより、収納空間３１に配された軟質フォーム３２に、空気が直撃することが抑制され、軟質フォーム３２を交換することなく、香成分の効果時間を長くすることができる。
【００４５】
以上、本実施形態について詳述したが、本考案はこの実施形態に限定されることなく、種々の態様に変形して実施しうる。
【符号の説明】
【００４６】
１    マット
２    スペーサ
３    カバー
３Ａ  上面
４    ファン装置
５    空気流路
１２    通気部
１３    非通気部
２０    冷感材
【図１】
0003183095.tif 000003
【図２】
0003183095.tif 000004
【図３】
0003183095.tif 000005
【図４】
0003183095.tif 000006
【図５】
0003183095.tif 000007